(57)【特許請求の範囲】
【請求項１】
モバイル通信ネットワークにおいて緊急コールを確立する方法であって、
登録要求を受信することと、
前記登録要求がｅコール・オンリー加入者からのものであるか否かを判定することと、
前記登録要求がｅコール・オンリー加入者からのものである場合、前記登録要求を承認することと、
前記登録要求がｅコール・オンリー加入者からのものではない場合、前記登録要求を承認するか否認するかを確定するために、前記登録要求をさらに処理することと、を備える方法。
【請求項２】
前記登録要求は、ローミング・ネットワークを介して、車両内システム（ＩＶＳ）から受信される、請求項１に記載の方法。
【請求項３】
前記受信することと前記判定することとは、ホーム・ネットワークによって実行され、
前記登録要求は、ローミング・ネットワークを介して受信される、請求項１に記載の方法。
【請求項４】
前記判定することは、ホーム・ロケーション・レジスタ（ＨＬＲ）を参照することを備え、
前記ＨＬＲは、ｅコール・オンリー加入者を指定するインジケータを含む、請求項３に記載の方法。
【請求項５】
前記判定することは、前記ホーム・ロケーション・レジスタ（ＨＬＲ）から分離されたｅコール・オンリー・リストを参照することを備える、請求項４に記載の方法。
【請求項６】
前記ホーム・ネットワークは、少なくとも１つのローミング・ネットワークによってアクセス可能なサーバに前記ｅコール・オンリー・リストを提供し、
前記ｅコール・オンリー・リストは、前記ｅコール・オンリー・リストにリストされた加入者からの登録要求を承認するための、前記少なくとも１つのローミング・ネットワークへの事前承認と同等である、請求項５に記載の方法。
【請求項７】
前記ホーム・ネットワークは、前記ｅコール・オンリー・リストを、少なくとも１つのローミング・ネットワークへプッシュし、
前記ｅコール・オンリー・リストは、前記ｅコール・オンリー・リストにリストされた加入者からの登録要求を承認するための、前記少なくとも１つのローミング・ネットワークへの事前承認と同等である、請求項５に記載の方法。
【請求項８】
前記受信することと前記判定することとは、前記登録要求のために、ホーム・ネットワークではないローミング・ネットワークによって実行される、請求項１に記載の方法。
【請求項９】
前記判定することは、
前記登録要求を承認するホーム・ネットワークを識別することと、
前記登録要求を前記ホーム・ネットワークへ転送することと、
前記登録要求が承認されたか否認されたかを示すインジケーションを前記ホーム・ネットワークから受信することと、を備える請求項８に記載の方法。
【請求項１０】
前記判定することは、前記ホーム・ネットワークによって提供されたｅコール・オンリー・リストを参照することを備え、
前記ｅコール・オンリー・リストは、前記ｅコール・オンリー・リストにリストされた加入者からの登録要求を承認するための、前記ローミング・ネットワークのための事前承認と同等である、請求項８に記載の方法。
【請求項１１】
前記参照することは、前記ｅコール・オンリー・リストに関する情報を前記ホーム・ネットワークが提供したサーバにアクセスすることを備える、請求項１０に記載の方法。
【請求項１２】
前記参照することは、前記ホーム・ネットワークから前記ローミング・ネットワークにプッシュされたｅコール・オンリー・リストに関する情報を前記ホーム・ネットワークから受信することを備える、請求項１０に記載の方法。
【請求項１３】
モバイル通信ネットワークにおいて緊急コールを確立するためのシステムであって、
登録要求を受信するための受信機と、
前記登録要求がｅコール・オンリー加入者からのものであるか否かを判定し、
前記登録要求が前記ｅコール・オンリー加入者からのものである場合、前記登録要求を承認し、
前記登録要求がｅコール・オンリー加入者からのものではない場合、前記登録要求を承認するか否認するかを確定するために、前記登録要求をさらに処理するためのプロセッサと、を備えるシステム。
【請求項１４】
前記登録要求は、ローミング・ネットワークを介して、車両内システム（ＩＶＳ）から受信される、請求項１３に記載のシステム。
【請求項１５】
前記受信することと前記判定することとは、ホーム・ネットワークによって実行され、
前記登録要求は、ローミング・ネットワークを介して受信される、請求項１３に記載のシステム。
【請求項１６】
前記判定することは、ホーム・ロケーション・レジスタ（ＨＬＲ）を参照することによって実行され、
前記ＨＬＲは、ｅコール・オンリー加入者を指定するインジケータを含む、請求項１５に記載のシステム。
【請求項１７】
前記判定することは、前記ホーム・ロケーション・レジスタ（ＨＬＲ）から分離されたｅコール・オンリー・リストを参照することによって実行される、請求項１６に記載のシステム。
【請求項１８】
前記ホーム・ネットワークは、少なくとも１つのローミング・ネットワークによってアクセス可能なサーバに前記ｅコール・オンリー・リストを提供し、
前記ｅコール・オンリー・リストは、前記ｅコール・オンリー・リストにリストされた加入者からの登録要求を承認するための、前記少なくとも１つのローミング・ネットワークへの事前承認と同等である、請求項１７に記載のシステム。
【請求項１９】
前記ホーム・ネットワークは、前記ｅコール・オンリー・リストを、少なくとも１つのローミング・ネットワークへプッシュし、
前記ｅコール・オンリー・リストは、前記ｅコール・オンリー・リストにリストされた加入者からの登録要求を承認するための、前記少なくとも１つのローミング・ネットワークへの事前承認と同等である、請求項１７に記載のシステム。
【請求項２０】
前記受信することと前記判定することとは、前記登録要求のために、ホーム・ネットワークではないローミング・ネットワークによって実行される、請求項１３に記載のシステム。
【請求項２１】
前記プロセッサによって実行される前記判定することはさらに、
前記登録要求を承認するホーム・ネットワークを識別することと、
前記登録要求を前記ホーム・ネットワークへ転送することと、
前記登録要求が承認されたか否認されたかを示すインジケーションを前記ホーム・ネットワークから受信することとを備える、請求項２０に記載のシステム。
【請求項２２】
前記判定することは、前記ホーム・ネットワークによって提供されたｅコール・オンリー・リストを参照することによって実行され、
前記ｅコール・オンリー・リストは、前記ｅコール・オンリー・リストにリストされた加入者からの登録要求を承認するための、前記ローミング・ネットワークのための事前承認と同等である、請求項２０に記載のシステム。
【請求項２３】
前記参照することは、前記ｅコール・オンリー・リストに関する情報を前記ホーム・ネットワークが提供したサーバにアクセスすることを備える、請求項２２に記載のシステム。
【請求項２４】
前記参照することは、前記ホーム・ネットワークから前記ローミング・ネットワークにプッシュされたｅコール・オンリー・リストに関する情報を前記ホーム・ネットワークから受信することを備える、請求項２２に記載のシステム。
【請求項２５】
モバイル通信ネットワークにおいて緊急コールを確立するための装置であって、
登録要求を受信する手段と、
前記登録要求がｅコール・オンリー加入者からのものであるか否かを判定する手段と、
前記登録要求がｅコール・オンリー加入者からのものである場合、前記登録要求を承認する手段と、
前記登録要求がｅコール・オンリー加入者からのものではない場合、前記登録要求を承認または否認するかを確定するために、前記登録要求を処理する手段と、を備える装置。
【請求項２６】
前記登録要求は、ローミング・ネットワークを介して、車両内システム（ＩＶＳ）から受信される、請求項２５に記載の装置。
【請求項２７】
前記受信することと前記判定することとは、ホーム・ネットワークによって実行され、
前記登録要求は、ローミング・ネットワークを介して受信される、請求項２５に記載の装置。
【請求項２８】
前記判定する手段は、ホーム・ロケーション・レジスタ（ＨＬＲ）を参照する手段を備え、
前記ＨＬＲは、ｅコール・オンリー加入者を指定するインジケータを含む、請求項２７に記載の装置。
【請求項２９】
前記判定する手段は、前記ホーム・ロケーション・レジスタ（ＨＬＲ）から分離されたｅコール・オンリー・リストを参照する手段を備える、請求項２８に記載の装置。
【請求項３０】
少なくとも１つのローミング・ネットワークによってアクセス可能なサーバに前記ホーム・ネットワークが前記ｅコール・オンリー・リストを提供できるようにする手段をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、請求項２９に記載の装置。
【請求項３１】
前記ｅコール・オンリー・リストを少なくとも１つのローミング・ネットワークへ前記ホーム・ネットワークがプッシュできるようにする手段をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、請求項２９に記載の装置。
【請求項３２】
前記受信することと前記判定することとは、前記登録要求のために、ホーム・ネットワークではないローミング・ネットワークによって実行される、請求項２５に記載の装置。
【請求項３３】
前記登録要求を承認するためのホーム・ネットワークを識別する手段と、
前記登録要求を前記ホーム・ネットワークへ転送する手段と、
前記登録要求が承認されたか否認されたかを示すインジケーションを前記ホーム・ネットワークから受信する手段と、をさらに備える請求項３２に記載の装置。
【請求項３４】
前記判定する手段は、ホーム・ネットワークによって提供されたｅコール・オンリー・リストを参照する手段を備え、
前記ｅコール・オンリー・リストは、前記ｅコール・オンリー・リストにリストされた加入者からの登録要求を承認するための、前記ローミング・ネットワークのための事前承認と同等である、請求項３２に記載の装置。
【請求項３５】
前記参照する手段は、前記ホーム・ネットワークが、前記ｅコール・オンリー・リストに関する情報を提供したサーバにアクセスする手段を備える、請求項３４に記載の装置。
【請求項３６】
前記参照する手段は、前記ホーム・ネットワークから前記ローミング・ネットワークへプッシュされたｅコール・オンリー・リストに関する情報を、前記ホーム・ネットワークから受信する手段を備える、請求項３４に記載の装置。
【請求項３７】
登録要求を受信することと、
前記登録要求がｅコール・オンリー加入者からのものであるか否かを判定することと、
前記登録要求がｅコール・オンリー加入者からのものである場合、前記登録要求を承認することと、
前記登録要求がｅコール・オンリー加入者からのものではない場合、前記登録要求を承認するか否認するかを確定するために、前記登録要求をさらに処理することと、をコンピュータに対して実行させるための命令群を記憶したコンピュータ読取可能な記憶媒体。
【請求項３８】
前記コンピュータに対して前記登録要求を受信させるための命令群はさらに、前記コンピュータに対して、車両内システム（ＩＶＳ）からローミング・ネットワークを介して前記登録要求を受信させるための命令群を備える、請求項３７に記載のコンピュータ読取可能な記憶媒体。
【請求項３９】
前記命令群は、ホーム・ネットワークによって実行され、
前記登録要求は、ローミング・ネットワークを介して加入者から受信される、請求項３７に記載のコンピュータ読取可能な記憶媒体。
【請求項４０】
前記コンピュータに対して判定させるための命令群は、ｅコール・オンリー加入者を指定するインジケータを含むホーム・ロケーション・レジスタを前記コンピュータに対して参照させるための命令群を備える、請求項３９に記載のコンピュータ読取可能な記憶媒体。
【請求項４１】
前記コンピュータに対して判定させるための命令群は、前記コンピュータに対して、前記ホーム・ロケーション・レジスタ（ＨＬＲ）から分離されたｅコール・オンリー・リストを参照させるための命令群を備える、請求項４０に記載のコンピュータ読取可能な記憶媒体。
【請求項４２】
前記コンピュータに対して、少なくとも１つのローミング・ネットワークによってアクセス可能なサーバに前記ｅコール・オンリー・リストを提供させるための命令群をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、請求項４１に記載のコンピュータ読取可能な記憶媒体。
【請求項４３】
前記コンピュータに対して、少なくとも１つのローミング・ネットワークに前記ｅコール・オンリー・リストをプッシュさせるための命令群をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、請求項４１に記載のコンピュータ読取可能な記憶媒体。
【請求項４４】
前記命令群は、ローミング・ネットワークによって実行され、
前記登録要求は、前記ローミング・ネットワークではないホーム・ネットワークの加入者から受信される、請求項３７に記載のコンピュータ読取可能な記憶媒体。
【請求項４５】
前記コンピュータに対して判定させるための命令群はさらに、
前記コンピュータに対して、
前記登録要求を承認するためのホーム・ネットワークを識別することと、
前記登録要求を前記ホーム・ネットワークへ転送することと、
前記登録要求が承認されているか否認されているかを示すインジケーションを前記ホーム・ネットワークから受信することと、を実行させるための命令群を備える請求項４４に記載のコンピュータ読取可能な記憶媒体。
【請求項４６】
前記コンピュータに対して判定させるための命令群はさらに、前記コンピュータに対して、ホーム・ネットワークによって提供されているｅコール・オンリー・リストを参照させるための命令群を備え、
前記ｅコール・オンリー・リストは、前記ｅコール・オンリー・リストにリストされた加入者からの登録要求を承認するための、前記ローミング・ネットワークのための事前承認と同等である、請求項４４に記載のコンピュータ読取可能な記憶媒体。
【請求項４７】
前記コンピュータに対して参照させるための命令群はさらに、前記コンピュータに対して、前記ｅコール・オンリー・リストに関する情報を前記ホーム・ネットワークが提供したサーバへアクセスさせるための命令群を備える、請求項４６に記載のコンピュータ読取可能な記憶媒体。
【請求項４８】
前記コンピュータに対して参照させるための命令群はさらに、前記ホーム・ネットワークから前記ローミング・ネットワークへプッシュされているｅコール・オンリー・リストに関する情報を、前記コンピュータに対して、前記ホーム・ネットワークから受信させるための命令群を備える、請求項４６に記載のコンピュータ読取可能な記憶媒体。
【発明の詳細な説明】
【優先権主張】
【０００１】
本特許出願は、本特許出願の譲受人に譲渡され本明細書において参照によって明確に組み込まれている２０１１年５月１１日出願の仮出願６１／４８５，０８２号に対する優先権を主張する。
【背景技術】
【０００２】
ｅコールは、車両内緊急コール・サービスを称する。車両を巻き込む衝突事象では、ｅコール車両内システム（ＩＶＳ）が、モバイル・ネットワークを介して、緊急機関への緊急コールを確立する。ＩＶＳは、「ｅコール・オンリー」サービスのため、または、「ミックス・モードｅコール」サービスのためにプロビジョンされうる。ミックス・モードｅコール・サービスでは、このシステムは、緊急ｅコールのみならず、非緊急の、加入者ベースのコールをも実行するために使用されうる。しかしながら、ｅコール・オンリー・モードでは、このシステムは、緊急コールをするためにのみアクティブとされ、ｅコール・オンリー・モードにおけるＩＶＳは、ｅコールがトリガされる前にモバイル・ネットワークに登録しない。したがって、ｅコール緊急がトリガされた場合、２つの動作が実行されねばならない。すなわち、先ず（１）ＩＶＳは、利用可能なモバイル・ネットワークに登録しなければならない。そして、次に（２）ＩＶＳは、ｅコール緊急コールを開始する。従来、ｅコールを行うためのモバイル・ネットワークへのＩＶＳの登録は、非緊急コールのための登録と同様に実行されている。
【０００３】
ＩＶＳが「ローミング」しており、そのホーム・パブリック・ランド・モバイル・ネットワーク（ＨＰＬＭＮ）または「ホーム・ネットワーク」が利用可能ではない場合、ＩＶＳは、訪問パブリック・ランド・モバイル・ネットワーク（ＶＰＬＭＮ）または「ローミング・ネットワーク」のうちの１つが利用可能である場合、これら何れかに登録しなければならない。しかしながら、ローミング・ネットワークは、ＩＶＳを登録する前に、ＩＶＳのホーム・ネットワークから許可を受信する必要がある。しかしながら、特に、登録（およびその後のコール・サービス）のみを許可するローミング登録管理ポリシー（ＲＲＭＰ）をホーム・ネットワークが有する場合のような典型的な事例では、このような許可が、ホーム・ネットワークが好適なビジネス取り決めを確立した好適なＶＰＬＭＮパートナ（「好適なパートナ」）によって拒否されることは珍しくはない。したがって、動作中、ホーム・ネットワークは、もしも好適なパートナのうちの１つを介して登録要求を受信も受諾もしていないのであれば、受信し受諾するまで、非好適なローミング・ネットワークからの登録を自動的に拒否しうる。
【０００４】
その結果、ｅコール・オンリーＩＶＳは、ローミング中に緊急コールを行うために、（仮にあったとしても）何れか１つのネットワークがＩＶＳのホーム・ネットワークによって最終的に受諾される前に、利用可能ないくつかのローミング・ネットワークへの登録を試みなければならない場合がありうる。そして、これは、（もし成功するにしても）成功するのに数分を要しうる。したがって、モバイル・ネットワークへのＩＶＳの従来のローミング登録は、できる限り迅速に登録を成功することが極めて重要である緊急ｅコールを行う際に、著しい遅れをもたらしうる。
【発明の概要】
【０００５】
本明細書に開示されるいくつかの実施は、何れかのローミング・ネットワーク（ＶＰＬＭＮ）への登録を試みるｅコール・オンリー加入者からの登録要求を直ちに受諾するホーム・ネットワーク（ＨＰＬＭＮ）に向けられている。さまざまな実施のために、ホーム・ネットワークは、ｅコール・オンリー加入者を識別するために、ホーム・ロケーション・レジスタ（ＨＬＲ）に保持している、加入者のおのおのに関する情報を用いる。その後、ホーム・ネットワークは、この情報を用いて、ローミング・ネットワークを介した登録要求がｅコール・オンリー加入者から到来している場合を判定し、もしも到来していると判定したならば、ｅコールの確立における不必要な遅れを回避するために、そのローミング・ネットワークへの登録を直ちに受諾する。
【０００６】
ある実施では、ホーム・ネットワークは、特定の加入者がｅコール・オンリーであることを示すインジケータをＨＬＲに格納しうる。そして、各ローミング・ネットワーク登録要求を、ＨＬＲ内のインジケータと照合し、この要求がｅコール・オンリー加入者からのものであるか否かを判定する。別の実施では、ホーム・ネットワークはその代わりに、ｅコール・オンリー加入者のクイック参照リストを保持しうる。クイック参照リストは、登録要求がｅコール・オンリー加入者からの登録要求であるか否かを（ＨＬＲ全体を探索する必要無く）判定し、その結果にしたがって許可または拒否する、ために直ちに参照されうる。
【０００７】
その他の実施の場合、ホーム・ネットワークはその代わりに、ｅコール・オンリー加入者のリストをコンパイルし、このリストへのアクセスをローミング・ネットワークへ与えうる。ローミング・ネットワークは、登録要求と、コール元のホーム・ネットワークの識別情報を受信すると、このホーム・ネットワークのリストを参照し、コール元が、登録のために事前承認されたｅコール・オンリー加入者であるか否かを判定し、登録承認されたｅコール・オンリー加入者であると判定されたならば、このコール元を直ちに登録し、緊急コールをサービスする。さらに別の実施では、ホーム・ネットワークが、このｅコール・オンリー加入者のリストを、ローミング・ネットワークへ「プッシュ」さえしうる。これによって、ローミング・ネットワークに対する自動的な「事前承認」が与えられ、登録要求が受信された場合には、リストされたＩＶＳｅコール・オンリー加入者の何れかが直ちに登録される。
【０００８】
この要約は、以下の詳細説明でさらに説明される概念の選択をより簡単な形式で導くために提供されている。この要約は、権利主張されている主題の主要な特徴または本質的な特徴を特定することは意図されておらず、権利主張される主題のスコープを制限するために使用されることも意図されていない。
【図面の簡単な説明】
【０００９】
本開示およびさまざまな実施の理解を容易にするため、および、本開示およびさまざまな実施を例示する目的のために、典型的な特徴および実施例が開示されており、これらは、添付図面と連携して読まれた場合に良好に理解されるが、本開示は、開示されている具体的な方法、正確な構成、および手段に限定されないことが理解される。同じ参照符号は、いくつかの図面にわたって、同じ要素を示す。これら図面では、
【図１】図１は、ｅコール緊急コール・サービスをフィーチャする典型的なモバイル通信ネットワークの例示である。
【図２】図２は、緊急コールを登録し実施するためのｅコール・オンリーＩＶＳのための処理を示す動作フロー図である。
【図３】図３は、本明細書に開示されたいくつかの実施例を示す方法の処理フロー図であり、ここでは、ホーム・ネットワークは、何れかのローミング・ネットワークへの登録を試みるｅコール・オンリー加入者からの登録要求を直ちに受諾する。
【図４】図４は、第１のネットワークが、第２のネットワークのｅコール・オンリー加入者の「事前承認された」リストを利用するための、本明細書に開示されたいくつかの実施例を示す方法の処理フロー図である。
【図５】図５は、本明細書に開示されたさまざまな実施例を例示するｅコール・オンリー対応デバイスとして動作するようにプロビジョンされうる典型的な車両内システム（ＩＶＳ）無線デバイスまたは装置のブロック図である。
【図６】図６は、緊急コール（緊急コールに関連するＭＭＰを含む）中に、図１の基地局／ＲＡＮおよびＭＳＣ／ＶＬＲに通信可能に接続された図５のＩＶＳの典型的な無線音声／データ・モジュールのブロック図である。
【発明を実施するための形態】
【００１０】
“１１２”は、例えば救急サービス、消防サービス、および警察サービスのような救急サービスに連絡するために、欧州連合（ＥＵ）において、任意の電話または任意の携帯電話から無料でダイヤルすることができる重要な緊急電話番号である。ＧＳＭモバイル電話規格も、緊急番号として１１２を指定しているので、北米（ＧＳＭシステムが緊急コールを、米国の１１２に相当する９１１にリダイレクトする）および豪州（緊急コールが、豪州の１１２に相当する０００にリダイレクトされる）を含む至る所でＧＳＭ電話で動作する。“Ｅ１１２”は、モバイル電話のために特別に指定された１１２の高度位置決めバージョン（location-enhanced version）であり、これによって、コール元の位置情報が決定され、（米国におけるエンハンスト９１１すなわち“ｅ９１１”システムと同様である）緊急センタに送信される。
【００１１】
“ｅコール”は、欧州で動作するＥ１１２システムに構築された相互運用可能な車両内緊急コール・サービスを称する。ｅコールの目的は、交通事故への緊急サービス応答時間のスピードをアップすることである。衝突、事故、または緊急状態の場合には、ｅコールが自動的または手動で使用され、セルラ・ネットワークを介して、ローカルな緊急機関、すなわち、パブリック・セーフティ・アンサリング・ポイント（ＰＳＡＰ）への緊急音声コールが確立される。ｅコールは、運転手とＰＳＡＰオペレータとの間の双方向通信を可能にすることに加えて、セルラ・ネットワークを介して、車両内システム（ＩＶＳ）からＰＳＡＰへのデータ・メッセージの転送をも可能にする。このデータ・メッセージは、車両位置情報、タイム・スタンプ、乗客数、車両識別番号（ＶＩＮ）、およびその他の関連情報を含むｅコール・ミニマム・データ・セット（ＭＳＤ：Minimum Set of Data）と称される。
【００１２】
図１は、ｅコール緊急コール・サービスをフィーチャする典型的なモバイル通信ネットワーク１００の例示である。モバイル通信ネットワーク１００は、ローミング・ネットワーク（すなわち、訪問ネットワーク）１０２、ホーム・ネットワーク１０４、およびサード・パーティ・ネットワーク１０６を含みうる。既に示されたように、ローミング・ネットワーク１０２はまた、訪問パブリック・ランド・モバイル・ネットワーク（ＶＰＬＭＮ）、サービス提供ネットワーク等とも称されうる。ホーム・ネットワーク１０４はまた、ホーム・パブリック・ランド・モバイル・ネットワーク（ＨＰＬＭＮ）とも称されうる。以下の記述の多くで仮定されているように、ローミング・ネットワーク１０２は、ホーム・ネットワーク１０４からローミングしうるＩＶＳ１１０のためのサービス提供ネットワークでありうる。（実際、ＩＶＳ１１０がローミングしていない場合、ローミング・ネットワーク１０２とホーム・ネットワーク１０４とは同じネットワークでありうる。）
ローミング・ネットワーク１０２は、ラジオ・アクセス・ネットワーク（ＲＡＮ）１２０における１または複数の基地局、モバイル交換センタ（ＭＳＣ）／訪問ロケーション・レジスタ（ＶＬＲ）１３０、および簡略のために図１に示されていないその他のネットワーク・エンティティを含みうる。ＲＡＮ１２０は、グローバル移動体通信システム（ＧＳＭ（登録商標））ネットワーク、広帯域符号分割多元接続（ＷＣＤＭＡ（登録商標））ネットワーク、汎用パケット・ラジオ・サービス（ＧＰＲＳ）アクセス・ネットワーク、ロング・ターム・イボリューション（ＬＴＥ）ネットワーク、ＣＤＭＡ  １Ｘネットワーク、高レート・パケット・データ（ＨＲＰＤ）ネットワーク、ウルトラ・モバイル・ブロードバンド（ＵＭＢ）ネットワーク等でありうる。ＧＳＭ、ＷＣＤＭＡ、ＧＰＲＳ、およびＬＴＥは、ユニバーサル・モバイル・テレコミュニケーション・システム（ＵＭＴＳ）の一部であり、「第３世代パートナシップ計画」（３ＧＰＰ）と命名された団体からの文書に記載されている。ＣＤＭＡ  １ＸおよびＨＲＰＤは、ｃｄｍａ２０００の一部であり、ｃｄｍａ２０００およびＵＭＢは、「第３世代パートナシップ計画２」（３ＧＰＰ２）と命名された団体からの文書に記載されている。ＭＳＣ１３０は、回路交換されるコールのための切換機能を実行し、さらに、ショート・メッセージ・サービス（ＳＭＳ）メッセージをルーティングしうる。ＶＬＲ１３０は、ローミング・ネットワーク１０２に登録した端末のための登録情報を格納しうる。
【００１３】
ホーム・ネットワーク１０４は、ホーム・ロケーション・レジスタ（ＨＬＲ）／認証センタ（ＡＣ）１４０、および、簡略のために図１に図示されていないその他のネットワーク・エンティティを含みうる。ＨＬＲは、ホーム・ネットワーク１０４へのサービス加入を有する端末（ＩＶＳ１１０を含む）のための加入者情報を格納しうる。ＡＣは、ホーム・ネットワーク１０４へのサービス加入を有する端末（ＩＶＳ１１０を含む）のための認証を実行しうる。
【００１４】
サード・パーティ・ネットワーク１０６は、ルータまたはスイッチ１５０（例えば、ＰＳＡＰが選択したルータ）、ＰＳＡＰ１６０、パブリック交換テレフォン・ネットワーク（ＰＳＴＮ）１７０、および、恐らくは、図１に図示されていないその他のネットワーク・エンティティを含みうる。ルータまたはスイッチ１５０は、ＭＳＣ１３０とＰＳＡＰ１６０との間にコールをルーティングしうる。ＰＳＡＰ１６０は、緊急コールに応答することを担当し、緊急センタ（ＥＣ）とも称されうる。ＰＳＡＰ１６０は、例えば国または都市のような政府機関によって運営または所有されうる。ＰＳＴＮ１７０はまた、例えば電話機１８０のような従来式の有線電話のための電話サービスをも提供しうる。もちろん、図１は、ローミング・ネットワーク１０２およびホーム・ネットワーク１０４に存在しうるネットワーク・エンティティのうちのいくつかしか示していない。例えば、ローミング・ネットワーク１０２は、パケット交換コールおよびその他のサービスをサポートするネットワーク・エンティティのみならず、端末（すなわち、ＩＶＳ１１０）位置の取得を支援する位置決めサーバをも含みうる。
【００１５】
一般に、ＩＶＳ１１０は、永久に、車両に固定されうるか、または車両の一部となりうる専用の車両内システムである。ＩＶＳ１１０は、無線通信端末として、ＧＳＭおよびＣＤＭＡ  １Ｘにおける移動局（ＭＳ）、ＷＣＤＭＡおよびＬＴＥにおけるユーザ機器（ＵＥ）、ＨＲＰＤにおけるアクセス端末（ＡＴ）、セキュア・ユーザ・プレーン・ロケーション（ＳＵＰＬ）におけるＳＵＰＬ対応端末（ＳＥＴ）、加入者ユニット、局等とも考えられうる（、および、これらのようにさまざまに称されうる）。ＩＶＳ１１０はまた、パーソナル・ナビゲーション・デバイス（ＰＮＤ）を備えうるか、または、ＰＮＤと通信しうる。そして、衛星信号受信、支援データ受信、および／または、位置決め関連処理が、ＩＶＳ１１０で行われうるか、または、ＰＮＤにおいて行われうる。ＩＶＳ１１０は、ホーム・ネットワーク１０４とのサービス加入を有しうる。そして、図１に図示されるように、ローミング・ネットワーク１０２内をローミングしうる。
【００１６】
アクティブ化された場合、ＩＶＳ１１０は、ローミング・ネットワーク１０２におけるＲＡＮ１２０から信号を受信しうる。そして、通信サービスを取得するために、ＲＡＮ１２０と通信しうる。図１には図示されていないが、ＩＶＳ１１０はまた、ローミングしていない場合、通信サービスを求めてホーム・ネットワーク１０４と通信しうる。ＩＶＳ１１０はまた、衛星位置決めシステム（ＳＰＳ）の一部でありうる１または複数の衛星１９０からの信号を、（もしも存在すれば）そのＰＮＤを介して受信しうる。本明細書において使用されているように、ＳＰＳは、１または複数のグローバルおよび／またはリージョナルなナビゲーション衛星システム、および／または、補強システムの任意の組み合わせを含みうる。そして、ＳＰＳ信号は、ＳＰＳ信号、ＳＰＳに類似の信号、および／または、このような１または複数のＳＰＳに関連付けられたその他の信号を含みうる。
【００１７】
ＩＶＳ１１０は、衛星１９０からの信号を測定し、衛星に関する疑似範囲測定値を取得しうる。ＩＶＳ１１０はまた、ＲＡＮ１２０における基地局からの信号をも測定し、基地局に関するタイミング測定値および／または信号強度測定値を取得しうる。疑似範囲測定値、タイミング測定値、および／または、信号強度測定値は、ＩＶＳ１１０に関する位置決め推定値および位置情報を導出するために使用されうる。
【００１８】
ｅコールは、コールがなされ、ｅコールを確立するために追加の緊急関連データが送信されて、ｅコールを処理するために使用されるという方式において、非緊急コール（非ｅコール）とは異なりうる。例えば、追加のデータは、ｅコールがどのようにして開始されたか、車両タイプおよび車両識別番号（ＶＩＮ）、タイム・スタンプ、（恐らくは、ある種の確信度を伴う）位置推定値、（利用可能でれば）移動方向、乗客数（例えば、検出可能であれば、固定されたシート・ベルトの数）、トリガ・タイプ（例えば、配備されたエアバッグ、バンパ・センサ等）、および、恐らくはその他の情報を含みうる。
【００１９】
「ｅコール・オンリー」ＩＶＳとして知られる専用ｅコールＩＶＳは、車両に関連付けられ、例えば事故事象のような緊急コールを行うことを唯一の目的として設計されたＩＶＳである。このようなＩＶＳは、一般に「ｅコール・オンリー・モード」で動作すると言われている。一般に、ｅコール・オンリーＩＶＳは、他のｅコールＩＶＳとは異なっており、そのｅコール・オンリーＩＶＳにおける従来式の移動通信デバイス（ｅコール機能付き、または、ｅコール機能無し）は、ＩＶＳが緊急コールの開始を試みている場合（または、ある事象では、ユーザの要求があると、ＩＶＳが、テストまたは設定接続の開始を試みている場合）を除いて、例えばパブリック・ランド・モバイル・ネットワーク（ＰＬＭＮ）のような移動管理手順（ＭＭＰ）を実行しない。また、緊急コールの登録および実行後、ｅコール・オンリー・デバイスは、緊急（または、適切に推定された期間）の持続のため、ＰＳＡＰによるコール・バックのみならず、通常の音声およびデータ通信機能、ＳＭＳメッセージング、または、その他のこのような無線デバイス機能を可能にするために、ＭＭＰを実行することを許可されうる。しかしながら、事故が実際に起きるまで、ｅコール・オンリーＩＶＳは、非アクティブ状態に維持されている。
【００２０】
事故の場合には、車両内センサが、トリガされ、ｅコール・オンリーＩＶＳが起動される。このＩＶＳは、事故前は非アクティブであったので、まず、ＩＶＳが、事故に関連する何れかのデータを送信する前に、利用可能なネットワークとの接続を有効にする（すなわち、登録する）必要がある。理想的には、この接続は、ホーム・ネットワーク（ＨＰＬＭＮ）に対してなされるが、ＩＶＳがローミングしている場合（すなわち、ＩＶＳのホーム・ネットワークが、利用不可能または到達不可能である場合）、ＩＶＳは、もしも利用可能であれば、ローミング・ネットワーク（ＶＰＬＭＮ）に登録しなければならない。
【００２１】
図２は、ｅコール・オンリーＩＶＳが緊急コールへの登録および実行をするための処理２００を示す動作フロー図である。２０２におけるｅコール緊急コール。例えば、事故時におけるエアバッグの起動、または、医療緊急活動を受けている運転手によるｅコール・ボタンの押印が、２０４において、ｅコール・オンリーＩＶＳをアクティブにする。２０６においてＩＶＳはまず、何れかのネットワークが利用可能であるか否かを検出する。そして、２０８において、どのネットワークも利用可能ではないと判定された場合、２１０において、ＩＶＳはリセットし、２０６において、何れかのネットワークが利用可能であるか否かを再び検出することを試みる。２０８において、少なくとも１つのネットワークが利用可能であり、２１０において、これら利用可能なネットワークのうちの１つがホーム・ネットワークである場合、ＩＶＳは、２１４において、（１つの登録要求しか要求しない）ホーム・ネットワークに登録し、その後２３０において、直ちにｅコールを開始する。
【００２２】
しかしながら、２１２において、ホーム・ネットワークが利用可能ではない場合、２１６において、ＩＶＳは、検出されたネットワークの中からローミング・ネットワークを選択し、２１８において、このローミング・ネットワークへの登録を試みる。本明細書において後述するように、ＩＶＳのホーム・ネットワークによる登録を受諾することをローミング・ネットワークが許可されているか否かに大きく依存するローミング・ネットワークによって登録が受諾された場合、ＩＶＳは、２３０において、ｅコールを開始しうる。しかしながら、この登録が２２０において拒否された場合、２２２において別のローミング・ネットワークが利用可能であれば、ＩＶＳは、２１６に戻り、新たなローミング・ネットワークを選択し、２１８において、この新たなネットワークへの登録を試みうる。例えば、２０６においてＩＶＳが１つのローミング・ネットワークしか検出しなかった場合のように、選択するその他のローミング・ネットワークがない場合、２２４において、ＩＶＳは、２１８における新たな試みと同じローミング・ネットワークに接続することを再試行する。ＩＶＳは、利用可能なネットワークによって登録が正しく受諾されるまで、利用可能なネットワークとの登録試行を試み続けうる。ある実施例では、同じローミング・ネットワークへの接続の再試行に加えて、または、その代わりに、ＩＶＳは、登録なし（すなわち、「制限されたサービス状態」）で緊急コールを行うことを試みうる。これは、緊急コールあるいはそれ以外を実行するために登録が必要とされないネットワークについては成功しうる。
【００２３】
２２０に関し、利用可能なローミング・ネットワークがＩＶＳに登録する前に、ローミング・ネットワークは先ず、ＩＶＳのホーム・ネットワークから許可を受信する必要がある。この許可を得なければならないいくつかの理由がある。その中には、とりわけ、ホーム・ネットワークに対して、ローミング・コール（単数または複数）の登録およびサービス提供について、ローミング・ネットワークに支払うことを要求する一般的慣習がある。したがって、ホーム・ネットワークが、あるネットワークを別のネットワークよりも好み、このようなあるローミング・ネットワークに対する許可を拒否することは、思慮深いことでありうる。これを達成するために、ホーム・ネットワークは、ローミング登録管理ポリシー（ＲＲＭＰ）を利用しうる。これは、ホーム・ネットワークの好適なＶＰＬＭＮパートナ（「好適パートナ」）による登録（およびその後のコール・サービス）のみを許可する。
【００２４】
ホーム・ネットワークの好適なパートナは、ローミング・コールをサービスするためにホーム・ネットワークが好適なビジネス取り決めを確立したローミング・ネットワークでありうるか、あるいは、ホーム・ネットワーク・ローミング・コールをサービス提供するための好適な課金を有するとして知られているローミング・ネットワークを含みうる。したがって、ホーム・ネットワークは、好適ではないローミング・ネットワークからの登録を自動的に拒否し、好適なパートナのうちの１つによる登録要求のみを受諾するようにうまくインセンティブが与えられうる。これによって、ローミング加入者（および、ＩＶＳを含むこれらの移動通信デバイス）に、（もしあれば）ホーム・ネットワークに受け入れ可能なものを発見するまで、利用可能なローミング・ネットワークのおのおのをサイクルさせるチャレンジを残す。
【００２５】
その結果、ローミング中に緊急コールを行うために、ｅコール・オンリーＩＶＳは、（もしあれば）ＩＶＳのホーム・ネットワークによって最終的に受諾される前に、利用可能ないくつかのローミング・ネットワークへの登録を試みなければならない。そして（仮にそうなったとしても）、これは、成功するために数分を要しうる。この理由のため、モバイル・ネットワークへのＩＶＳの従来のローミング登録は、緊急コールの実行を著しく遅らせうるか、または、完全に阻止しうる。そして、深刻な事故の場合、例えば、事故犠牲者のタイムリーな緊急手当の提供を著しく損なわせうる。
【００２６】
図３は、本明細書に開示されたいくつかの実施例を示す方法３００の処理フロー図である。ここでは、ホーム・ネットワークは、たとえローミング・ネットワークが好適なパートナではなくても、ローミング・ネットワークへの登録を試みるｅコール・オンリー加入者からの登録要求を直ちに受諾する（すなわち、拒否しない）。ある実施例の場合、３０２において、ホーム・ネットワークが、ｅコール・オンリー加入者を「事前識別」しうる。ホーム・ネットワークは、そのホーム・ロケーション・レジスタ（ＨＬＲ）に、加入者のおのおのに関する情報を保持しているので、どの加入者がｅコール・オンリー加入者であるかを容易に確認しうる。したがって、ｅコール・オンリー加入者から、ローミング・ネットワークを介して登録が来た場合をも判定しうる。このローミング・ネットワークが好適なパートナであるか否かに関わらず、ホーム・ネットワークは、ｅコールの確立における遅れをもたらすことを避けるために、この情報を用いて、登録を受諾しうる。
【００２７】
その後、ホーム・ネットワークは、３１２において、ローミング・ネットワークから登録要求を受信し、３１４において、もしもこの要求がｅコール・オンリー加入者に関するものであれば、ホーム・ネットワークは、好適なパートナではないローミング・ネットワークを介してなされた登録要求を拒否しうるＲＲＭＰ（ローミング登録管理ポリシー）に関係なく、この登録を直ちに承認しうる。ある実施例では、ホーム・ネットワークは、特定の加入者がｅコール・オンリーであるか否かを示すインジケータをＨＬＲに格納しうる。そして、登録要求がｅコール・オンリー加入者に関するものであるか否かを判定するためにＨＬＲを参照する。別の実施例では、ホーム・ネットワークは、ｅコール・オンリー加入者の個別のリストを保持しうる。このリストは、登録要求がｅコール・オンリー加入者に関するものであるか否かを判定するために迅速に探索されうる。
【００２８】
もちろん、３１４において、この登録要求がｅコール・オンリー加入者からのものではない（非ｅコールである）場合、ホーム・ネットワークは、３１６において、この要求が好適なパートナによってなされたものであるか否かを判定し、もしもそうであれば、３２０において、ホーム・ネットワークは、この要求を承認し、そうではない場合には、３１８において、この登録要求は、ホーム・ネットワークのＲＲＭＰにしたがって拒否されうる。
【００２９】
また別の実施例では、ホーム・ネットワークは、先を見越して、ｅコール・オンリー加入者のリストをローミング・ネットワークへ提供しうる。これによって、これらローミング・ネットワークは、登録要求が受信された場合、ＩＶＳｅコール・オンリー加入者を登録するために、このリストを、一種の自動的な「事前承認」として用いうる。例えば、あるこのような実施では、ホーム・ネットワークは、ローミング・ネットワークによってアクセス可能なホーム・ネットワーク・サーバに、ｅコール・オンリー加入者のリストを保持しうる。一方、別の実施例の場合、ホーム・ネットワークは、このリストをローミング・ネットワークへ「プッシュ」しうる。これによって、このリストのコピーが、各ローミング・ネットワークに存在するようになる（したがって、ホーム・ネットワークと通信することなくアクセス可能となる）。これらいくつかの実施例では、これらローミング・ネットワークは、コール元のＨＰＬＭＮの識別情報および登録要求を受信すると、（アクセス可能なホーム・ネットワーク・サーバに保持されているか、または、ホーム・ネットワークから受信されたコピーとしてローカルに保持されている）このリストを直ちに参照し、コール元がｅコール・オンリー加入者であるか否かを判定し、即時登録のためにリストされ事前承認されているのであれば、このＩＶＳを登録し、緊急コールにサービスする。
【００３０】
図４は、第１のネットワークが第２のネットワークのｅコール・オンリー加入者の「事前承認された」リストを利用するための、本明細書に開示されたいくつかの実施例を示す方法４００の処理フロー図である。４０２において、第１のネットワークは、「コール元」（例えば携帯電話またはＩＶＳのような移動通信デバイス）から登録要求を受信する。そして、４０４において、この要求が加入者のうちの１つからのものであれば（すなわち、ローミングしているコール元でなければ）、第１のネットワーク（このコール元に対するホーム・ネットワークとなるである）は、４２０において、このコール元を登録し、コールにサービスする。しかしながら、４０４において、４０２における要求がローミングしているコール元からのものである（そして、第１のネットワークがコール元に対するローミング・ネットワークである）と第１のネットワークが判定した場合、４０６において、（ローミング・ネットワークである）第１のネットワークは、コール元のホーム・ネットワーク（第２のネットワーク）を判定し、４０８において、第２のネットワークのｅコール・オンリー加入者リスト（「リスト」）を参照し、コール元が第２のネットワークの事前承認されたｅコール・オンリー加入者であるか否かを発見し、もしもそうであれば、４２０において、第１のネットワーク（ローミング・ネットワーク）は、第２のネットワーク（ホーム・ネットワーク）によって与えられた事前承認に基づいて、コール元を登録する。一方、４０８において、コール元が、第２のネットワークの事前承認されたｅコール・オンリー加入者ではない場合、第１のネットワークは、４１０において、そのコール元のホーム・ネットワーク（第２のネットワーク）からの承認を要求しなければならず、４１２において、第２のネットワークから承認または拒否を受信する。
【００３１】
４１４において、登録要求がホーム・ネットワーク（第２のネットワーク）によって承認された場合、４２０において、第１のネットワーク（ローミング・ネットワーク）は、コール元を登録し、コールにサービスする。逆に、４１４において、登録要求がホーム・ネットワーク（第２のネットワーク）によって拒否された場合、第１のネットワーク（ローミング・ネットワーク）は、４１６において、登録要求を拒否し、ある実施例では、コール元に対して、登録要求が拒否されたことを通知する（これは、別のローミング・ネットワークへの登録を試みるようにとの、ホーム・ネットワークからの指示としてコール元によって解釈されうる）。したがって、４０８に関し、コール元が第２のネットワークの事前承認されたｅコール・オンリー加入者であるか否かは、例えば、ある実施例では、第２のネットワーク・サーバにおけるリストをチェックすることによって、第１のネットワークによって判定され、別の実施例では、（前述されたように）第２のネットワークによって第１のネットワークへ提供され第１のネットワークによってローカルに保持されたリストのコピーをチェックすることによって判定されうる。
【００３２】
いくつかの実施例では、ローミング・ネットワークは、コール元の登録を進めるために事前承認を利用する場合であっても、（ホーム・ネットワークからの承認を待つのではなく）登録要求をホーム・ネットワークへ未だに転送しうる。そして、ある実施例では、（登録要求を転送する場合に一種類のインジケータ・ビットまたはフラグを用いて）コール元がホーム・ネットワークのｅコール・オンリー加入者であること、および、ホーム・ネットワーク事前承認に登録されていることとの判定が（ローミング・ネットワークによって）なされたフラグまたはその他のインジケータを含みうる。この情報は、その後、事前承認リスト、ｅコール・オンリー加入者、および、それにしたがって登録要求を行う緊急状態、を管理するためにホーム・ネットワークによって使用されうる。
【００３３】
図５は、本明細書に開示されたさまざまな実施例を例示するｅコール・オンリー対応デバイスとして動作するようにプロビジョンされうる典型的なＩＶＳ１１０無線デバイスまたは装置のブロック図である。ＩＶＳ１１０は、ＩＶＳ１１０を無線通信可能にする複数の無線モジュールに接続されたプロセッサ・モジュール５０２を含みうる。例えば、無線モジュールは、無線音声／データ・モジュール５０４、その他のデータ・モジュール５０６（例えば、ブルートゥース・モジュール）、および位置決めモジュール５０８（例えば、ＧＰＳモジュール）を含みうるが、ＩＶＳ１１０は、例示された無線モジュールには限定されない。例示された無線モジュールのおのおのは、アンテナ５１０，５１２，５１４にそれぞれ接続されている。アンテナ５１０，５１２，５１４は個別のアンテナとして示されているが、単一のユニタリ・アンテナも使用され、モジュール５０４−５０８に接続されうる。
【００３４】
プロセッサ・モジュール５０２は、スピーカ／マイクロホン・モジュール５１６、ｅコール・ボタン５１８、車両センサ・インタフェース５２０、およびディスプレイ・モジュール５２２にも接続されうる。さらに、プロセッサ・モジュール５０２は、ＩＶＳ１１０をｅコール・オンリー対応デバイスとしてプロビジョンする情報を含みうる記憶モジュール５２４に接続されうる。ｅコール・ボタン５１８は、事故時に、または、緊急サービスからの注意または支援を必要とするその他の状況において、緊急コールをマニュアルで開始するために使用されうる。車両センサ・インタフェース５２０は、車両内に配置されたセンサ（図示せず）に接続されうる。そして、緊急サービスからの注意または支援を必要とする事故状況を検出するように設計されうる。このような車両センサは、エアバック装備メカニズム、車両ボディ保全センサ等に取り付けられうる。
【００３５】
ＩＶＳ１１０は、（登録後）緊急コール中に、ＲＡＮ１２０を介してＭＳＣ１３０へ／から音声通信およびデータ通信を送信／受信するように構成されうる。ＭＳＣ１３０は、ＩＶＳ１１０から、ルータまたはスイッチ１５０、またはＰＳＴＮ１７０を介して、ＰＳＡＰ１６０へ緊急情報が通信されるようにする。このような緊急情報は、ＩＶＳが、デバイスに格納された適切な緊急番号（例えば、１１２，９１１，０００等）を用いて緊急コールを開始すると、ＰＳＡＰ１６０へ通信されうる。緊急情報は、ユーザからの、および、スピーカ／マイクロホン・モジュール５１６を介した音声通信、車両センサ・インタフェース５２０に接続されたセンサから生成されたデータ、および、位置決めモジュール５０８からの位置決め情報を含みうる。
【００３６】
前述したように、ＩＶＳ１１０は、ｅコール・オンリー・デバイスとしてプロビジョニングされ、このようなプロビジョニング情報は、記憶モジュール５２４に格納されうる。記憶モジュール５２４は、不揮発性記憶装置、揮発性記憶装置、加入者識別情報モジュール（ＳＩＭ）、ユニバーサル加入者識別情報モジュール（ＵＳＩＭ）、またはその他任意の適切な記憶可能素子でありうる。
【００３７】
スピーカ／マイクロホン・モジュール５１６は、ＩＶＳ１１０とＰＳＡＰ１６０との間の音声コール中に使用されうる。ｅコール・オンリーＩＶＳをアクティブにするため、あるいは、そうではない場合には、ｅコール・システムを介したＰＳＡＰ１６０への専用の緊急データ・メッセージおよび／または緊急音声通信の生成および送信を開始するために、例えばｅコール・ボタン５１８のようなテレマティックス・アプリケーション専用ボタンが使用されうる。さらに、データ通信の開始は、例えば、エアバック装備メカニズムに接続されたセンサのような車両センサによって自動的に遂行されうる。
【００３８】
無線モジュール５０４−５０８のおのおのは、例えばＣＤＭＡ、ＷＣＤＭＡ、ＧＳＭ、ＴＤＭＡ等のようなオーバ・ザ・エア・プロトコルによって、アンテナ５１０−５１４をそれぞれ用いて音声メッセージおよびデータ・メッセージを送信および符号化するための送信機を含む。無線モジュール５０４−５０８はまた、例えば衛星通信のようなその他の無線通信によって送信するように構成されうる。無線モジュール５０４−５０８のおのおのは、セル・サイト１１２、ＭＳＣ１３０、およびＰＳＡＰ１６０から音声メッセージおよびデータ・メッセージを受信し復号するための受信機、または、通信ネットワーク１００に関連付けられたその他任意の構成要素をも含む。受信されるこのような音声メッセージおよびデータ・メッセージは、例えばＣＤＭＡ、ＷＣＤＭＡ、ＧＳＭ、ＴＤＭＡ等のようなオーバ・ザ・エア・プロトコルによって受信されうる。無線モジュール５０４−５０８はまた、例えば衛星通信のようなその他の無線通信を受信するようにも構成されうる。これら送信機および受信機は、統合されたトランシーバ・デバイスでありうる。これらの要素は、図６に、より詳細に説明されている。
【００３９】
図６は、緊急コール（緊急コールに関連付けられたＭＭＰを含む）中、図１のＲＡＮ１２０および／またはＭＳＣ／ＶＬＲ１３０に通信可能に接続された図５のＩＶＳ１１０の典型的な無線音声／データ・モジュール５０４のブロック図である。図６に例示されているように、ＩＶＳ１１０が緊急中にアクティブである場合、エンコーダ６１２は、無線音声／データ・モジュール５０４によって送信されるべきデータおよびメッセージを受信しうる。エンコーダ６１２は、データおよびメッセージを処理（例えば、符号化およびインタリーブ）し、符号化されたデータおよび符号化されたシグナリングを提供しうる。変調器（Ｍｏｄ）６１４はさらに、符号化されたデータおよびシグナリングを処理（例えば、変調、チャネル化、およびスクランブル）し、出力サンプルを提供する。送信機（ＴＭＴＲ）６２２は、出力サンプルを調整（例えば、アナログ変換、フィルタ、増幅、および周波数アップコンバート）し、アップリンク信号を生成しうる。これは、ＲＡＮ１２０における１または複数の基地局へ送信されうる。
【００４０】
無線音声／データ・モジュール５０４はまた、１または複数の基地局によって送信されたダウンリンク信号を受信しうる。受信機（ＲＣＶＲ）６２６は、受信した信号を調整（例えば、フィルタ、増幅、周波数ダウンコンバート、およびデジタル化）し、入力サンプルを提供しうる。復調器（Ｄｅｍｏｄ）６１６は、入力サンプルを処理（例えば、デスクランブル、チャネル化、および復調）し、シンボル推定値を提供しうる。デコーダ６１８は、シンボル推定値を処理（例えば、デインタリーブおよび復号）し、無線音声／データ・モジュール５０４へ送信された復号されたデータおよびメッセージを提供しうる。エンコーダ６１２、変調器６１４、復調器６１６、およびデコーダ６１８は、モデム・プロセッサ６１０によって実現されうる。これらのユニットは、無線音声／データ・モジュール５０４が通信する無線ネットワークによって使用されるラジオ技術（例えば、ＧＳＭ、ＷＣＤＭＡ、ＬＴＥ等）にしたがって処理を実行しうる。コントローラ／プロセッサ６３０は、無線音声／データ・モジュール５０４におけるさまざまなユニットの動作を指示しうる。メモリ６３２は、無線音声／データ・モジュール５０４のためのプログラム・コードおよびデータを格納しうる。ＳＩＭ／ＵＳＩＭ６３４は、無線音声／データ・モジュール５０４のために使用されるサービス加入のための加入者情報を格納しうる。
【００４１】
ＲＡＮ１２０では、送信機／受信機６３８が、ＩＶＳ１１０無線音声／データ・モジュール５０４のみならず、（ＩＶＳとその他の移動通信デバイスとの両方である）その他の端末との無線通信をサポートしうる。コントローラ／プロセッサ６４０は、端末との通信のためのさまざまな機能を実行しうる。アップリンクの場合、無線音声／データ・モジュール５０４からのアップリンク信号が、受信機６３８によって受信および調整され、さらに、コントローラ／プロセッサ６４０によって処理されて、無線音声／データ・モジュール５０４によって送信されたデータおよびメッセージが復号される。ダウンリンクの場合、コントローラ／プロセッサ６４０によってデータおよびメッセージが処理され、送信機６３８によって調整されることにより、ダウンリンク信号が生成される。これは、無線音声／データ・モジュール５０４およびその他の端末へ送信されうる。メモリ６４２は、ＲＡＮ１２０のためのプログラム・コードおよびデータを格納しうる。通信（Ｃｏｍｍ）ユニット６４４は、ＭＳＣ／ＶＬＲ１３０およびその他のネットワーク・エンティティとの通信をサポートしうる。
【００４２】
ＭＳＣ／ＶＬＲ１３０では、コントローラ／プロセッサ６５０が、端末のための通信サービスをサポートするためのさまざまな機能を実行しうる。メモリ６５２は、ＭＳＣ／ＶＬＲ１３０のためのプログラム・コードおよびデータを格納しうる。通信ユニット６５４は、ＲＡＮ１２０およびその他のネットワーク・エンティティとの通信をサポートしうる。
【００４３】
当業者であれば、情報および信号は、さまざまな異なる技術および技法のうちの何れかを用いて表されることを理解するだろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００４４】
当業者はさらに、本明細書における開示に関連して記載されたさまざまな例示的な論理ブロック、モジュール、回路、および、アルゴリズム・ステップは、電子ハードウェア、コンピュータ・ソフトウェア、またはこれらの組み合わせとして実施されうることを認識するだろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００４５】
本明細書に記載された方法は、アプリケーションに依存してさまざまな手段によって実現されうる。例えば、これらの方法は、ハードウェア、ファームウェア、ソフトウェア、あるいはこれらの任意の組み合わせで実現されうる。ハードウェアによる実現のために、処理ユニットは、１または複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロ・プロセッサ、電子デバイス、本明細書に記載された機能を実行するために設計されたその他の電子ユニット、またはこれらの組み合わせ内で実現されうる。
【００４６】
ファームウェアおよび／またはソフトウェアによる実現のために、方法は、本明細書に記載された機能を実行するモジュール（例えば、手順、機能等）で実現されうる。本明細書に記載された方法を実現する際に、命令群を実体的に具体化する任意の機械読取可能な媒体が使用されうる。例えば、ソフトウェア・コードが、メモリに格納され、処理ユニットによって実行されうる。メモリは、処理ユニット内に、または、処理ユニット外に実装されうる。本明細書で使用されるように、用語「メモリ」は、長期、短期、揮発性、不揮発性、またはその他のうちの何れかのタイプのメモリを称し、いかなる特定のタイプまたは数のメモリも、メモリが格納される媒体のタイプにも限定されるべきではない。
【００４７】
ファームウェアおよび／またはソフトウェアで実現される場合、これら機能は、１または複数の命令群として、または、コンピュータ読取可能な媒体におけるコードとして格納されうる。例は、データ構造で符号化されたコンピュータ読取可能な媒体と、コンピュータ・プログラムで符号化されたコンピュータ読取可能な媒体とを含む。コンピュータ読取可能な媒体は、物理的なコンピュータ記憶媒体を含む。記憶媒体は、コンピュータによってアクセスされる利用可能な任意の媒体でありうる。限定するのではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、または、命令群またはデータの形態で所望のプログラム・コードを格納するために使用され、コンピュータによるアクセスが可能なその他任意の媒体を備え、本明細書で使用されるようなｄｉｓｋおよびｄｉｓｃは、コンパクト・ディスク（ＣＤ）、レーザ・ディスク、光ディスク、デジタル多用途ディスク（ＤＶＤ）、フロッピー（登録商標）およびブルー・レイ・ディスクを含む。ここで、ｄｉｓｋは通常、データを磁気的に再生する一方、ｄｉｓｃは、データをレザーを用いて光学的に再生する。前述した組み合わせもまた、コンピュータ読取可能な媒体の範囲内に含まれるべきである。
【００４８】
コンピュータ読取可能な媒体における記憶に加えて、命令群および／またはデータは、通信装置に含まれる送信媒体における信号として提供されうる。例えば、通信装置は、命令群およびデータを示す信号を有するトランシーバを含みうる。これら命令群およびデータは、１または複数のプロセッサに対して、特許請求の範囲で概説された機能を実行させるように構成されている。すなわち、通信装置は、開示された機能を実行するための情報を示す信号を伴う送信媒体を含む。第１の時間において、通信装置に含まれる送信媒体が、開示された機能を実行するための情報の第１の部分を含めうる。一方、第２の時間において、通信装置に含まれる送信媒体が、開示された機能を実行するための情報の第２の部分を含めうる。
【００４９】
例えば、無線広域ネットワーク（ＷＷＡＮ）、無線ローカル・エリア・ネットワーク（ＷＬＡＮ）、無線パーソナル・エリア・ネットワーク（ＷＰＡＮ）等のようなさまざまな無線通信ネットワークと連携して位置決め／位置決定技術が実施される。用語「ネットワーク」および「システム」は、しばしば置換可能に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一キャリア周波数分割多元接続（ＳＣ−ＦＤＭＡ）ネットワーク、ロング・ターム・イボリューション（ＬＴＥ）、等でありうる。ＣＤＭＡネットワークは、例えばｃｄｍａ２０００、広帯域ＣＤＭＡ（Ｗ−ＣＤＭＡ）等のような１または複数のラジオ・アクセス技術（ＲＡＴ）を実施しうる。Ｃｄｍａ２０００は、ＩＳ−９５規格、ＩＳ−２０００規格、およびＩＳ−８５６規格を含んでいる。ＴＤＭＡネットワークは、グローバル移動体通信システム（ＧＳＭ（登録商標））、デジタル・アドバンスト・モバイル電話システム（Ｄ−ＡＭＰＳ）、またはその他いくつかのＲＡＴを実施しうる。ＧＳＭおよびＷ−ＣＤＭＡは、「第３世代パートナシップ計画」（３ＧＰＰ）と命名されたコンソーシアムからの文書に記載されている。Ｃｄｍａ２０００は、「第３世代パートナシップ計画２」（３ＧＰＰ２）と命名されたコンソーシアムからの文書に記載されている。３ＧＰＰと３ＧＰＰ２のドキュメントは公的に利用可能である。ＷＬＡＮは、ＩＥＥＥ  ８０２．１１ｘネットワークであり、ＷＰＡＮは、Ｂｌｕｅｔｏｏｔｈ（登録商標）ネットワーク、ＩＥＥＥ  ８０２．１５ｘ、あるいはその他のいくつかのタイプのネットワークでありうる。これら技術はまた、ＷＷＡＮ、ＷＬＡＮ、および／またはＷＰＡＮからなる任意の組み合わせと連携して実施されうる。
【００５０】
さらに、主題は、構造的特徴および／または方法論的な動作に特有の用語で記載されているが、追加された特許請求の範囲において定義された主題は、前述した具体的な特徴および動作に限定される必要は必ずしもないことが理解されるべきである。むしろ、前述された特定の機能および動作は、特許請求の範囲を実現する形態の例として開示されている。
以下に、出願当初の特許請求の範囲に記載された発明を付記する。
［Ｃ１］
モバイル通信ネットワークにおいて緊急コールを確立する方法であって、
登録要求を受信することと、
前記登録要求がｅコール・オンリー加入者からのものであるか否かを判定することと、
前記登録要求がｅコール・オンリー加入者からのものである場合、前記登録要求を承認することと、
前記登録要求がｅコール・オンリー加入者からのものではない場合、前記登録要求を承認するか否認するかを確定するために、前記登録要求をさらに処理することと、
を備える方法。
［Ｃ２］
前記登録要求は、ローミング・ネットワークを介して、車両内システム（ＩＶＳ）から受信される、Ｃ１に記載の方法。
［Ｃ３］
前記受信することと前記判定することとは、ホーム・ネットワークによって実行され、
前記登録要求は、ローミング・ネットワークを介して受信される、Ｃ１に記載の方法。
［Ｃ４］
前記判定することは、ホーム・ロケーション・レジスタ（ＨＬＲ）を参照することを備え、
前記ＨＬＲは、ｅコール・オンリー加入者を指定するインジケータを含む、Ｃ３に記載の方法。
［Ｃ５］
前記判定することは、前記ホーム・ロケーション・レジスタ（ＨＬＲ）から分離されたｅコール・オンリー・リストを参照することを備える、Ｃ３に記載の方法。
［Ｃ６］
前記ホーム・ネットワークは、少なくとも１つのローミング・ネットワークによってアクセス可能なサーバに前記ｅコール・オンリー・リストを提供し、
前記ｅコール・オンリー・リストは、前記ｅコール・オンリー・リストにリストされた加入者からの登録要求を承認するための、前記少なくとも１つのローミング・ネットワークへの事前承認と同等である、Ｃ５に記載の方法。
［Ｃ７］
前記ホーム・ネットワークは、前記ｅコール・オンリー・リストを、少なくとも１つのローミング・ネットワークへプッシュし、
前記ｅコール・オンリー・リストは、前記ｅコール・オンリー・リストにリストされた加入者からの登録要求を承認するための、前記少なくとも１つのローミング・ネットワークへの事前承認と同等である、Ｃ５に記載の方法。
［Ｃ８］
前記受信することと前記判定することとは、前記登録要求のために、ホーム・ネットワークではないローミング・ネットワークによって実行される、Ｃ１に記載の方法。
［Ｃ９］
前記判定することは、
前記登録要求を承認するホーム・ネットワークを識別することと、
前記登録要求を前記ホーム・ネットワークへ転送することと、
前記登録要求が承認されたか否認されたかを示すインジケーションを前記ホーム・ネットワークから受信することと、を備えるＣ８に記載の方法。
［Ｃ１０］
前記判定することは、前記ホーム・ネットワークによって提供されたｅコール・オンリー・リストを参照することを備え、
前記ｅコール・オンリー・リストは、前記ｅコール・オンリー・リストにリストされた加入者からの登録要求を承認するための、前記ローミング・ネットワークのための事前承認と同等である、Ｃ８に記載の方法。
［Ｃ１１］
前記参照することは、前記ｅコール・オンリー・リストに関する情報を前記ホーム・ネットワークが提供したサーバにアクセスすることを備える、Ｃ１０に記載の方法。
［Ｃ１２］
前記参照することは、前記ホーム・ネットワークから前記ローミング・ネットワークにプッシュされたｅコール・オンリー・リストに関する情報を前記ホーム・ネットワークから受信することを備える、Ｃ１０に記載の方法。
［Ｃ１３］
モバイル通信ネットワークにおいて緊急コールを確立するためのシステムであって、
登録要求を受信するための受信機と、
前記登録要求がｅコール・オンリー加入者からのものであるか否かを判定し、
前記登録要求が前記ｅコール・オンリー加入者からのものである場合、前記登録要求を承認し、
前記登録要求がｅコール・オンリー加入者からのものではない場合、前記登録要求を承認するか否認するかを確定するために、前記登録要求をさらに処理する
ためのプロセッサと、
を備えるシステム。
［Ｃ１４］
前記登録要求は、ローミング・ネットワークを介して、車両内システム（ＩＶＳ）から受信される、Ｃ１３に記載のシステム。
［Ｃ１５］
前記受信することと前記判定することとは、ホーム・ネットワークによって実行され、
前記登録要求は、ローミング・ネットワークを介して受信される、Ｃ１３に記載のシステム。
［Ｃ１６］
前記判定することは、ホーム・ロケーション・レジスタ（ＨＬＲ）を参照することによって実行され、
前記ＨＬＲは、ｅコール・オンリー加入者を指定するインジケータを含む、Ｃ１５に記載のシステム。
［Ｃ１７］
前記判定することは、前記ホーム・ロケーション・レジスタ（ＨＬＲ）から分離されたｅコール・オンリー・リストを参照することによって実行される、Ｃ１５に記載のシステム。
［Ｃ１８］
前記ホーム・ネットワークは、少なくとも１つのローミング・ネットワークによってアクセス可能なサーバに前記ｅコール・オンリー・リストを提供し、
前記ｅコール・オンリー・リストは、前記ｅコール・オンリー・リストにリストされた加入者からの登録要求を承認するための、前記少なくとも１つのローミング・ネットワークへの事前承認と同等である、Ｃ１７に記載のシステム。
［Ｃ１９］
前記ホーム・ネットワークは、前記ｅコール・オンリー・リストを、少なくとも１つのローミング・ネットワークへプッシュし、
前記ｅコール・オンリー・リストは、前記ｅコール・オンリー・リストにリストされた加入者からの登録要求を承認するための、前記少なくとも１つのローミング・ネットワークへの事前承認と同等である、Ｃ１７に記載のシステム。
［Ｃ２０］
前記受信することと前記判定することとは、前記登録要求のために、ホーム・ネットワークではないローミング・ネットワークによって実行される、Ｃ１３に記載のシステム。
［Ｃ２１］
前記プロセッサによって実行される前記判定することはさらに、
前記登録要求を承認するホーム・ネットワークを識別することと、
前記登録要求を前記ホーム・ネットワークへ転送することと、
前記登録要求が承認されたか否認されたかを示すインジケーションを前記ホーム・ネットワークから受信することと
を備える、Ｃ２０に記載のシステム。
［Ｃ２２］
前記判定することは、前記ホーム・ネットワークによって提供されたｅコール・オンリー・リストを参照することによって実行され、
前記ｅコール・オンリー・リストは、前記ｅコール・オンリー・リストにリストされた加入者からの登録要求を承認するための、前記ローミング・ネットワークのための事前承認と同等である、Ｃ２０に記載のシステム。
［Ｃ２３］
前記参照することは、前記ｅコール・オンリー・リストに関する情報を前記ホーム・ネットワークが提供したサーバにアクセスすることを備える、Ｃ２２に記載のシステム。
［Ｃ２４］
前記参照することは、前記ホーム・ネットワークから前記ローミング・ネットワークにプッシュされたｅコール・オンリー・リストに関する情報を前記ホーム・ネットワークから受信することを備える、Ｃ２２に記載のシステム。
［Ｃ２５］
モバイル通信ネットワークにおいて緊急コールを確立するための装置であって、
登録要求を受信する手段と、
前記登録要求がｅコール・オンリー加入者からのものであるか否かを判定する手段と、
前記登録要求がｅコール・オンリー加入者からのものである場合、前記登録要求を承認する手段と、
前記登録要求がｅコール・オンリー加入者からのものではない場合、前記登録要求を承認または否認するかを確定するために、前記登録要求を処理する手段と、
を備える装置。
［Ｃ２６］
前記登録要求は、ローミング・ネットワークを介して、車両内システム（ＩＶＳ）から受信される、Ｃ２５に記載の装置。
［Ｃ２７］
前記受信することと前記判定することとは、ホーム・ネットワークによって実行され、
前記登録要求は、ローミング・ネットワークを介して受信される、Ｃ２５に記載の装置。
［Ｃ２８］
前記判定する手段は、ホーム・ロケーション・レジスタ（ＨＬＲ）を参照する手段を備え、
前記ＨＬＲは、ｅコール・オンリー加入者を指定するインジケータを含む、Ｃ２７に記載の装置。
［Ｃ２９］
前記判定する手段は、前記ホーム・ロケーション・レジスタ（ＨＬＲ）から分離されたｅコール・オンリー・リストを参照する手段を備える、Ｃ２７に記載の装置。
［Ｃ３０］
少なくとも１つのローミング・ネットワークによってアクセス可能なサーバに前記ホーム・ネットワークが前記ｅコール・オンリー・リストを提供できるようにする手段をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、Ｃ２９に記載の装置。
［Ｃ３１］
前記ｅコール・オンリー・リストを少なくとも１つのローミング・ネットワークへ前記ホーム・ネットワークがプッシュできるようにする手段をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、Ｃ２９に記載の装置。
［Ｃ３２］
前記受信することと前記判定することとは、前記登録要求のために、ホーム・ネットワークではないローミング・ネットワークによって実行される、Ｃ２５に記載の装置。
［Ｃ３３］
前記登録要求を承認するためのホーム・ネットワークを識別する手段と、
前記登録要求を前記ホーム・ネットワークへ転送する手段と、
前記登録要求が承認されたか否認されたかを示すインジケーションを前記ホーム・ネットワークから受信する手段と、をさらに備えるＣ３２に記載の装置。
［Ｃ３４］
前記判定する手段は、ホーム・ネットワークによって提供されたｅコール・オンリー・リストを参照する手段を備え、
前記ｅコール・オンリー・リストは、前記ｅコール・オンリー・リストにリストされた加入者からの登録要求を承認するための、前記ローミング・ネットワークのための事前承認と同等である、Ｃ３２に記載の装置。
［Ｃ３５］
前記参照する手段は、前記ホーム・ネットワークが、前記ｅコール・オンリー・リストに関する情報を提供したサーバにアクセスする手段を備える、Ｃ３４に記載の装置。
［Ｃ３６］
前記参照する手段は、前記ホーム・ネットワークから前記ローミング・ネットワークへプッシュされたｅコール・オンリー・リストに関する情報を、前記ホーム・ネットワークから受信する手段を備える、Ｃ３４に記載の装置。
［Ｃ３７］
登録要求を受信することと、
前記登録要求がｅコール・オンリー加入者からのものであるか否かを判定することと、
前記登録要求がｅコール・オンリー加入者からのものである場合、前記登録要求を承認することと、
前記登録要求がｅコール・オンリー加入者からのものではない場合、前記登録要求を承認するか否認するかを確定するために、前記登録要求をさらに処理することと、をコンピュータに対して実行させるための命令群を備えたコンピュータ読取可能な媒体。
［Ｃ３８］
前記コンピュータに対して前記登録要求を受信させるための命令群はさらに、前記コンピュータに対して、車両内システム（ＩＶＳ）からローミング・ネットワークを介して前記登録要求を受信させるための命令群を備える、Ｃ３７に記載のコンピュータ読取可能な媒体。
［Ｃ３９］
前記命令群は、ホーム・ネットワークによって実行され、
前記登録要求は、ローミング・ネットワークを介して加入者から受信される、Ｃ３７に記載のコンピュータ読取可能な媒体。
［Ｃ４０］
前記コンピュータに対して判定させるための命令群は、ｅコール・オンリー加入者を指定するインジケータを含むホーム・ロケーション・レジスタを前記コンピュータに対して参照させるための命令群を備える、Ｃ３９に記載のコンピュータ読取可能な媒体。
［Ｃ４１］
前記コンピュータに対して判定させるための命令群は、前記コンピュータに対して、前記ホーム・ロケーション・レジスタ（ＨＬＲ）から分離されたｅコール・オンリー・リストを参照させるための命令群を備える、Ｃ３９に記載のコンピュータ読取可能な媒体。
［Ｃ４２］
前記コンピュータに対して、少なくとも１つのローミング・ネットワークによってアクセス可能なサーバに前記ｅコール・オンリー・リストを提供させるための命令群をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、Ｃ４１に記載のコンピュータ読取可能な媒体。
［Ｃ４３］
前記コンピュータに対して、少なくとも１つのローミング・ネットワークに前記ｅコール・オンリー・リストをプッシュさせるための命令群をさらに備え、
前記ｅコール・オンリー・リストは、前記ｅコール・オンリー・リストにリストされた加入者からの登録要求を承認するための、前記少なくとも１つのローミング・ネットワークへの事前承認と同等である、Ｃ４１に記載のコンピュータ読取可能な媒体。
［Ｃ４４］
前記命令群は、ローミング・ネットワークによって実行され、
前記登録要求は、前記ローミング・ネットワークではないホーム・ネットワークの加入者から受信される、Ｃ３７に記載のコンピュータ読取可能な媒体。
［Ｃ４５］
前記コンピュータに対して判定させるための命令群はさらに、
前記コンピュータに対して、
前記登録要求を承認するためのホーム・ネットワークを識別することと、
前記登録要求を前記ホーム・ネットワークへ転送することと、
前記登録要求が承認されているか否認されているかを示すインジケーションを前記ホーム・ネットワークから受信することと、を実行させるための命令群を備えるＣ４４に記載のコンピュータ読取可能な媒体。
［Ｃ４６］
前記コンピュータに対して判定させるための命令群はさらに、前記コンピュータに対して、ホーム・ネットワークによって提供されているｅコール・オンリー・リストを参照させるための命令群を備え、
前記ｅコール・オンリー・リストは、前記ｅコール・オンリー・リストにリストされた加入者からの登録要求を承認するための、前記ローミング・ネットワークのための事前承認と同等である、Ｃ４４に記載のコンピュータ読取可能な媒体。
［Ｃ４７］
前記コンピュータに対して参照させるための命令群はさらに、前記コンピュータに対して、前記ｅコール・オンリー・リストに関する情報を前記ホーム・ネットワークが提供したサーバへアクセスさせるための命令群を備える、Ｃ４６に記載のコンピュータ読取可能な媒体。
［Ｃ４８］
前記コンピュータに対して参照させるための命令群はさらに、前記ホーム・ネットワークから前記ローミング・ネットワークへプッシュされているｅコール・オンリー・リストに関する情報を、前記コンピュータに対して、前記ホーム・ネットワークから受信させるための命令群を備える、Ｃ４６に記載のコンピュータ読取可能な媒体。
【図１】
0005847925.tif 000002
【図２】
0005847925.tif 000003
【図３】
0005847925.tif 000004
【図４】
0005847925.tif 000005
【図５】
0005847925.tif 000006
【図６】
0005847925.tif 000007